(57)【要約】【課題】操作内容を、表示部により確認することができるリモコン装置を提供する。【解決手段】キー操作部４の操作情報を操作処理部５により処理を行い、制御部２はこれを送信処理部８に直接送信せず、表示制御部６を介して操作情報を表示部７に表示する。ユーザはキー操作部４により、操作情報を修正することができ、この後、制御部２は修正された送信情報を以て送信処理部８に通知し、送信処理部８により赤外線等により送信可能なコードに変換し、送信部９により図示しない本体装置に送信する。【選択図】図１
2008141314.tif 000002
【特許請求の範囲】
【請求項１】
キー操作部と、
該キー操作部の操作による操作情報を処理する操作処理手段と、
装置全体の動作を制御する制御手段と、
該制御部が動作するために必要な情報を記憶する記憶手段と、
操作情報をコード化して電子機器本体に送信するための送信処理部と、
を備える電子機器本体を遠隔操作するためのリモコン装置であって、
前記操作情報を表示する表示部と、
該表示部を制御する表示制御部と、を備え、
前記制御手段は前記操作情報を一時的に記憶し、該一時的に記憶した前記操作情報を前記表示制御部により表示データに変換し、前記表示部に表示することを特徴とするリモコン装置。
【請求項２】
前記表示部に表示した前記操作情報は、前記キー操作部により前記操作処理手段を介して修正可能であり、前記制御手段は修正した前記操作情報を再度記憶することを特徴とする請求項１記載のリモコン装置。
【請求項３】
前記制御手段は、一時的に記憶した前記操作情報の前記電子機器本体への送信若しくはキャンセルをユーザが選択する確認手段を有し、該確認手段によって前記一時的に記憶した操作情報の送信が指示された場合、前記制御手段は、前記一時的に記憶した操作情報に基づいて前記送信処理部を作動させることを特徴とする請求項１又は２記載のリモコン装置。
【発明の詳細な説明】
【技術分野】
【０００１】
本発明は、電子機器の遠隔操作を行うためのリモートコントロール装置（以下リモコン装置）に関する。
【背景技術】
【０００２】
従来、テレビジョン受像機やオーディオ機器等の電子機器において、本体装置から離れた場所においてもユーザが操作可能なリモコン装置が用いられている。このような電子機器において、本体装置が年々複雑多様な機能を有することにより、リモコン装置が備えるキー（ボタン）の数も同様に増加する傾向にある。その複雑化するリモコン装置のため、ユーザによっては、本体装置が備える機能を十分に発揮させることができないという問題点が生じている。この操作の複雑化を解消すべく、種々の方法が開示されている。
【０００３】
例えば、特許文献１では、リモコン装置に加速度センサ及び傾斜センサを設け、これらによりリモコン装置の移動による加速度や、リモコン装置の傾きの変化量を検出し、変化量に応じたチャンネル選局若しくは音量調節を可能とする方法が開示されている。
【０００４】
【特許文献１】特開２００３−１１１１７１号公報
【発明の開示】
【発明が解決しようとする課題】
【０００５】
しかしながら、特許文献１の方法では、リモコン装置を移動させたり、傾けたりした場合に、その変化量に応じて即座に本体装置の動作設定を変更させるため、誤ってリモコン装置を動かした際に、音量が極度に大きくなったり、表示中のチャンネルが異なるチャンネルとなる等、ユーザの予期せぬ動作を誘発する可能性が想定される。
【０００６】
本発明は上記課題を鑑みてなされたものであり、表示部により操作内容を確認し、その後改めて本体装置に表示した操作内容を送信するリモコン装置を提供することを目的とする。
【課題を解決するための手段】
【０００７】
請求項１に係るリモコン装置は、キー操作部と、
該キー操作部の操作による操作情報を処理する操作処理手段と、
装置全体の動作を制御する制御手段と、
該制御部が動作するために必要な情報を記憶する記憶手段と、
操作情報をコード化して電子機器本体に送信するための送信処理部と、
を備える電子機器本体を遠隔操作するためのリモコン装置であって、
前記操作情報を表示する表示部と、
該表示部を制御する表示制御部と、を備え、
前記制御手段は前記操作情報を一時的に蓄積し、蓄積した前記操作情報を前記表示制御部により表示データに変換し、前記表示部に表示することを特徴とする。
【０００８】
請求項１の構成によれば、リモコン装置の操作を行った際の操作の内容を、一時的に蓄積することができ、それを表示部に表示することができる。
【０００９】
請求項２に係るリモコン装置は、請求項１記載のリモコン装置において、前記表示部に表示した前記操作情報は、前記キー操作部により前記操作処理手段を介して修正可能であり、前記制御手段は修正した前記操作情報を再度記憶することを特徴とする。
【００１０】
請求項２の構成によれば、表示部に表示された操作情報が誤っている場合、ユーザは操作情報を修正することができる。
【００１１】
請求項３に係るリモコン装置は、請求項１又は２記載のリモコン装置において、前記制御手段は、一時的に記憶した前記操作情報の前記電子機器本体への送信若しくはキャンセルをユーザが選択する確認手段を有し、該確認手段によって前記一時的に記憶した操作情報の送信が指示された場合、前記制御手段は、前記一時的に記憶した操作情報に基づいて前記送信処理部を作動させることを特徴とする。
【００１２】
請求項３の構成によれば、表示部に表示された操作情報に基づいて電子機器の設定を変更して良いかを、設定変更前にユーザが確認することができ、誤った操作を行った場合その操作を取り消すことができる。
【発明の効果】
【００１３】
請求項１に係るリモコン装置は、キー操作部と、
該キー操作部の操作による操作情報を処理する操作処理手段と、
装置全体の動作を制御する制御手段と、
該制御部が動作するために必要な情報を記憶する記憶手段と、
操作情報をコード化して電子機器本体に送信するための送信処理部と、
を備える電子機器本体を遠隔操作するためのリモコン装置であって、
前記操作情報を表示する表示部と、
該表示部を制御する表示制御部と、を備え、
前記制御手段は前記操作情報を一時的に蓄積し、蓄積した前記操作情報を前記表示制御部により表示データに変換し、前記表示部に表示するので、ユーザはリモコンによって電子機器を操作する際に、リモコンの操作によって電子機器の設定がどのように変更されるかを、実際に電子機器に設定が反映される前に、表示部により確認することができる。
【００１４】
請求項２に係るリモコン装置は、請求項１記載のリモコン装置において、前記表示部に表示した前記操作情報は、前記キー操作部により前記操作処理手段を介して修正可能であり、前記制御手段は修正した前記操作情報を再度記憶するので、表示部により確認した操作情報が誤っている場合、ユーザはこれを事前に修正することができ、ユーザが想定しない電子機器の動作を防止することができる。
【００１５】
請求項３に係るリモコン装置は、請求項１又は２記載のリモコン装置において、前記制御手段は、一時的に記憶した前記操作情報の前記電子機器本体への送信若しくはキャンセルをユーザが選択する確認手段を有し、該確認手段によって前記一時的に記憶した操作情報の送信が指示された場合、前記制御手段は、前記一時的に記憶した操作情報に基づいて前記送信処理部を作動させるので、表示部により操作情報を確認した後、ユーザが該操作情報を電子機器に反映させるか否かを選択することができる。
【発明を実施するための最良の形態】
【００１６】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【実施例１】
【００１７】
図１及び図２は、本発明の実施例を示し、図１は、本実施例におけるリモコン装置の構成を示すブロック図である。図２は、リモコン装置によってキー操作が行われてから、本体装置へ送信するまでの動作を示すフローチャート図である。
【００１８】
本実施例におけるリモコン装置の構成について、図１に基づいて説明する。１は図示しない記録再生装置を遠隔操作するためのリモコン装置である。２はリモコン装置１の動作及び後述の各処理部の制御を行う制御部である。３は制御部２で用いる種々の情報を一時的に格納するメモリである。４はチャンネル選局や音量調節の操作を行うためのキー操作部であり、５はキー操作部４で押下されたキーを判別したり、押下されている時間を算出する操作処理部である。６は表示制御部、７は表示部であり、制御部２から得る表示情報を表示制御部６により処理し、表示部７に表示を行う。８は送信処理部であり、９は送信部である。送信処理部８は、キー操作部４によってユーザが操作した操作情報を制御部２から受け、送信部９を介して図示しない本体装置へ送信するものである。
【００１９】
続いて、本実施例におけるリモコン装置１の動作について、図２に基づいて説明する。まず、ユーザがリモコン装置１を手に取り、キー操作部４により操作を行う（Ｓ１１１）。操作処理部５によりキー操作部４による操作を検出する（Ｓ１１２）。制御部２により、操作の内容をパラメータ化し、変化量を算出する（例えば、図示しない音量アップキーを５秒押した場合、音量を５ｄＢ増幅する等）（Ｓ１１３）。パラメータ化した操作情報を、表示制御部６を介して表示部７に表示を行う（Ｓ１１４）。ユーザは表示された操作情報見て、再度変更したい場合は図示しない変更キー（以降、シフトキーと呼ぶ）を押下する（Ｓ１１５）。シフトキーが押下された場合、キー操作部４によって、表示部７に表示される捜査情報の修正操作を受け付け（Ｓ１１７）、修正操作に基づいてパラメータのステップ数を変更する。（Ｓ１１８）。このとき、表示部７に表示する操作情報も、修正後のパラメータを表示する。キャンセルキーが押下された場合は（Ｓ１１９）、ステップ数をＳ１１３時点の値に戻して再度シフトキー操作の受付を行う。キャンセルキーが押下されず、リモコン装置１の図示しない送信キーを押下した場合、本体装置の動作設定を変更するため、修正済みパラメータに基づいた操作情報を送信する（Ｓ１２１）。
【００２０】
ステップＳ１１５にてシフトキーが押下されず、ユーザがリモコン装置１の図示しない再操作キーを押下した場合ステップ数をリセットし（Ｓ１２０）、再度リモコン操作の待機状態とする。シフトキー、再操作キーの何れも押下せず、送信キーを押した場合、ステップＳ１１１で操作した内容に基づいたステップ数により本体装置の動作設定を変更するため、操作情報を送信する（Ｓ１２１）。
【００２１】
また、リモコン装置が、リモコン装置の筐体を傾けた際の角度や、リモコン装置を移動させた際の加速度を検出し、それを用いて本体装置の動作設定の変更に係る変化量とする場合も、本発明を適用することは容易である。図３はこのようなリモコン装置の構成を示すブロック図である。図４は、リモコン装置の動作を示すフローチャート図である。
【００２２】
１ａはリモコン装置である。１０は計時部であり、１１は加速度検出部、１２は角度検出部である。これらは、パラメータのステップ数を変更させる際、リモコン装置１ａの移動に伴う加速度を加速度検出部１１により検出し、又はリモコン装置１ａを水平に保持した状態から傾け、角度検出部１２により傾きを検出した場合、当該加速度又は傾きがどれくらいの時間、維持されていたかを計時部１０により検出し、その時間の長さに応じてステップ数の変化量とするためのものである。
【００２３】
続いて、リモコン装置１ａを使用した際の動作について、図４に基づいて説明する。ユーザは、本体装置の音量等の設定を変更するため、リモコン装置１ａを手に取り、リモコン装置１ａを左右何れかに傾ける（又は、左右何れかの方向へリモコン装置１ａの筐体ごと移動させる。）（Ｓ２０１）。リモコン装置１ａの筐体の加速度又は傾きを検出する（Ｓ２０２、Ｓ２０３）。計時部１０により、検出された加速度又は傾きの持続時間を計測し、該持続時間に応じた変化量となるようステップ数をステップ数制御部１３により算出する（Ｓ２０４）。パラメータ化した操作情報を、表示制御部６を介して表示部７に表示を行う（Ｓ２０５）。ユーザは表示された操作情報見て、再度変更したい場合は図示しない変更キー（以降、シフトキーと呼ぶ）を押下する（Ｓ２０６）。シフトキーが押下された場合、キー操作部４によって、表示部７に表示される捜査情報の修正操作を受け付け（Ｓ２０８）、修正操作に基づいてパラメータのステップ数を変更する。（Ｓ２０９）。このとき、表示部７に表示する操作情報も、修正後のパラメータを表示する。キャンセルキーが押下された場合は（Ｓ２１０）、ステップ数をＳ２０４時点の値に戻して再度シフトキー操作の受付を行う。キャンセルキーが押下されず、リモコン装置１ａの図示しない送信キーを押下した場合、本体装置の動作設定を変更するため、修正済みパラメータに基づいた操作情報を送信する（Ｓ２１３）。シフトキーが押下されない場合や、再操作キーが押下された場合、何れのキーも押下されない場合の動作はリモコン装置１の場合と同様である。
【００２４】
以上のような構成のリモコン装置１又はリモコン装置１ａによれば、ユーザが操作した内容を、即座に本体装置に反映させず、表示部７によって確認することができるため、誤った操作を行った場合であってもこれを回避することができ、ユーザが想定しない本体装置の動作を防ぐことができる。
【００２５】
以上、本発明の実施例について詳述したが、本発明は前記実施例に限定されるものではなく、本発明の要旨の範囲内で種々の変形実施が可能である。例えば、リモコン装置１及び１ａを、記録再生装置を操作するものとしたが、これに限定せずに、あらゆる遠隔操作可能な装置のリモコン装置に適用しても、何ら問題は無い。
【図面の簡単な説明】
【００２６】
【図１】本発明の実施例における、キー操作部を有するリモコン装置の構成を示すブロック図である。
【図２】同上、キー操作部を有するリモコン装置の動作を示すフローチャート図である。
【図３】同上、加速度及び角度検出部を有するリモコン装置の構成を示すブロック図である。
【図４】同上、加速度及び角度検出部を有するリモコン装置の動作を示すフローチャート図である。
【符号の説明】
【００２７】
１  リモコン装置
２  制御部（制御手段）
３  メモリ（記憶手段）
４  キー操作部
５  操作処理部（操作処理手段）
６  表示制御部
７  表示部
８  送信処理部
９  送信部
【図１】
2008141314.tif 000003
【図２】
2008141314.tif 000004
【図３】
2008141314.tif 000005
【図４】
2008141314.tif 000006